(57)【要約】  本発明は、コンタクト素子およびそのようなコンタクト素子を有するコンタクトシステムに関し、コンタクト素子は、コンタクトボックスを備え、コンタクトボックスは、コンタクト素子の長手方向に延び、少なくとも部分的にレセプタクルを制限し、コンタクトボックスは、少なくとも第１のボックス部を備え、第１のボックス部は、少なくとも部分的に格子構造を備える。【選択図】図２
2019517717.tif 000002
【特許請求の範囲】
【請求項１】
コンタクト素子（１５）であって、
コンタクトボックス（３０）を備え、
前記コンタクトボックス（３０）は、前記コンタクト素子（１５）の長手方向に延び、少なくとも部分的にレセプタクル（４５）を制限し、
前記コンタクトボックス（３０）は、少なくとも第１のボックス部（６０）、第２のボックス部（６５）、第３のボックス部（１３５）、および第４のボックス部（１４０）を含み、
前記第２のボックス部（６５）および前記第４のボックス部（１４０）は、互いに対向して配置され、前記第１のボックス部（６０）を前記第３のボックス部（１３５）に接続し、
前記第２のボックス部（６５）および前記第４のボックス部（１４０）は、前記第１のボックス部（６０）に対して傾斜して配置され、
前記第１のボックス部（６０）および前記第３のボックス部（１３５）は、互いに対向して配置され、
前記第２のボックス部（６５）および前記第４のボックス部（１４０）は、剛性的に構成され、
前記第１のボックス部（６０）および前記第３のボックス部（１３５）は、少なくとも部分的にばね弾性的に構成されている、
コンタクト素子（１５）。
【請求項２】
前記第１のボックス部（６０）および／または前記第３のボックス部（１３５）は、引張ばねとして構成されている、
請求項１に記載のコンタクト素子（１５）。
【請求項３】
前記第１のボックス部（６０）および／または前記第３のボックス部（１３５）は、格子構造（６９、１４５）および／または折り目（２４１、２４２）を備えている、
請求項１または２に記載のコンタクト素子（１５）。
【請求項４】
前記格子構造（６９、１４５）は、少なくとも１つの凹部（７０、７５）を備え、
前記凹部（７０、７５）は、凹状輪郭（８０、８５）を備え、
前記凹状輪郭（８０、８５）は、少なくとも部分的にダイヤモンド形および／または矩形および／または方形および／または多角形および／または丸形および／または長円形および／または円形および／または溝形である、
請求項３に記載のコンタクト素子（１５）。
【請求項５】
前記格子構造（６９、１４５）は、少なくとも１つの追加の凹部（７５）および少なくとも１つの横材（９０、９１）を備え、
前記横材（９０、９１）は、前記凹部（７０）と前記追加の凹部（７５）との間に配置されている、
請求項４に記載のコンタクト素子（１５）。
【請求項６】
前記凹部（７０）および前記追加の凹部（７５）は、同一の構成を有する、
請求項５に記載のコンタクト素子（１５）。
【請求項７】
前記横材（９０、９１）は、平面の構成を有し、
または
前記折り目（２４１、２４２）は、前記横材（９０、９１）が湾曲を備えるように構成され、
前記湾曲は、前記レセプタクル（４５）に対して凹面の構成を有する、
請求項５または６に記載のコンタクト素子（１５）。
【請求項８】
前記折り目（２４１、２４２）は、前記横材（９０、９１）が、第１の横材部（２４５）および前記第１の横材部（２４５）に隣接して配置された第２の横材部（２５０）を含むように構成され、
前記第１の横材部（２４５）は、前記第２の横材部（２５０）に対して傾斜して配置されている、
請求項５から７のいずれか一項に記載のコンタクト素子（１５）。
【請求項９】
前記第１の横材部（２４５）および前記第２の横材部（２５０）は、板状に構成され、
前記第１の横材部（２４５）は、固定端（２５５）によって前記第２の横材部（２５０）に接続され、
前記第１の横材部（２４５）は、前記レセプタクル（４５）の方向に関して前記固定端（２５５）から自由端（２６０）の方へ内方に延びている、
請求項８に記載のコンタクト素子（１５）。
【請求項１０】
前記第２のボックス部（６５）は、少なくとも部分的に、第１の構造部（１０５）および少なくとも第２の構造部（１１０）を有するエンボス構造（１００）を備え、
前記第１の構造部（１０５）は、前記長手方向に関して前記第２の構造部（１１０）からずれて横断方向に配置され、
追加のコンタクト素子（２０）に電気的に接触する第１のコンタクト（１２５）が、前記第１の構造部（１０５）において前記レセプタクル（４５）の方を向いている側に配置されている、
請求項１から９のいずれか一項に記載のコンタクト素子（１５）。
【請求項１１】
前記横材（９０、９１）は、前記第１のコンタクト（１２５）のレベルで前記長手方向に配置され、
または
前記横材（９０、９１）は、前記長手方向に関して前記第１のコンタクト（１２５）からずれて配置されている、
請求項５を含む請求項１０に記載のコンタクト素子（１５）。
【請求項１２】
前記第１の構造部（１０５）と前記第２のボックス部（６５）の領域（１９５、２００）との間に間隙（２０５、２１０）が配置され、
前記間隙（２０５、２１０）は、前記長手方向に延びている、
請求項１１に記載のコンタクト素子（１５）。
【請求項１３】
前記エンボス構造（１００）は、第３の構造部（１１５）を備え、
前記第３の構造部（１１５）は、前記第２の構造部（１１０）に接続され、
前記第３の構造部（１１５）は、前記レセプタクル（４５）の方を向いている側に第２のコンタクト（１３０）を備え、
前記第２のコンタクト（１３０）および前記第１のコンタクト（１２５）は、１つの接触平面（１２０、１９０）内に配置されている、
請求項１０から１２のいずれか一項に記載のコンタクト素子（１５）。
【請求項１４】
前記凹部（７０）および前記追加の凹部（７５）は、平面（９５）内に配置され、
前記平面（９５）は、前記接触平面（１２０、１９０）に対して平行に配置されている、
請求項５を含む請求項１３に記載のコンタクト素子（１５）。
【請求項１５】
前記第１のボックス部（６０）および前記第３のボックス部（１３５）は、互いに対して平行に配置され、かつ／または
前記第２のボックス部（６５）および前記第４のボックス部（１４０）は、互いに対して平行に配置されている、
請求項１から１４のいずれか一項に記載のコンタクト素子（１５）。
【請求項１６】
前記第１のボックス部（６０）および前記第３のボックス部（１３５）は、前記第１のボックス部（６０）と前記第３のボックス部（１３５）との間に配置された対称平面（１５５）に対して対称に構成されている、
請求項１から１５のいずれか一項に記載のコンタクト素子（１５）。
【請求項１７】
前記第４のボックス部（１４０）は、少なくとも部分的に、第４の構造部（１６５）および少なくとも第５の構造部（１７０）を有する追加のエンボス構造（１６０）を備え、
前記第５の構造部（１７０）は、前記長手方向に関して前記第４の構造部（１６５）からずれて横断方向に配置され、
前記第４の構造部（１６５）において前記レセプタクル（４５）の方を向いている側に第３のコンタクト（１８０）が配置されている、
請求項１から１６のいずれか一項に記載のコンタクト素子（１５）。
【請求項１８】
前記格子構造（６９、１４５）は、材料としてエキスパンデッドメタルを含む、
請求項３から９のいずれか一項、または請求項３を含む請求項１０から１７のいずれか一項に記載のコンタクト素子（１５）。
【請求項１９】
請求項１から１８のいずれか一項に記載のコンタクト素子（１５）と、追加のコンタクト素子（２０）とを有し、
前記追加のコンタクト素子（２０）は、接触面（５５）を有する係合部（５０）を含み、
前記係合部（５０）は、前記レセプタクル（４５）内に係合し、
前記第１のボックス部（６０）および前記第３のボックス部（１３５）は、前記第２のボックス部（６５）および前記第４のボックス部（１４０）を前記接触面（５５）に押し付ける締付け力（ＦＳ）を提供する、
コンタクトシステム（１０）。
【発明の詳細な説明】
【技術分野】
【０００１】
本発明は、請求項１に記載のコンタクト素子および請求項１９に記載のコンタクトシステムに関する。
【背景技術】
【０００２】
コンタクトボックスおよび接続部を有するコンタクト素子が知られており、コンタクトボックスは、接続部に接続され、コンタクトボックス内に内部ばねが設けられて、コンタクトボックスに導入することができる追加のコンタクト素子の係合部との電気コンタクトが確立される。コンタクトボックスは、接続部に接続される。接続部に電気ラインを締結することができる。
【発明の概要】
【発明が解決しようとする課題】
【０００３】
本発明の目的は、改善されたコンタクト素子およびそのようなコンタクト素子を有する改善されたコンタクトシステムを提供することである。
【課題を解決するための手段】
【０００４】
この目的は、請求項１に記載のコンタクト素子および請求項１９に記載のコンタクトシステムによって実現される。従属請求項には有利な実施形態を示す。
【０００５】
改善されたコンタクト素子は、コンタクト素子がコンタクトボックスを含み、コンタクトボックスが、コンタクト素子の長手方向に延び、少なくとも部分的にレセプタクルを制限する状態において提供され得ることが認識されている。コンタクトボックスは、少なくとも第１のボックス部、第２のボックス部、第３のボックス部、および第４のボックス部を含む。第２のボックス部および第４のボックス部は、互いに対向して配置され、第１のボックス部を第３のボックス部に接続し、第２のボックス部および第４のボックス部は、第１のボックス部に対して傾斜して配置される。第１のボックス部および第３のボックス部は、互いに対向して配置され、第２のボックス部および第４のボックス部は、剛性的に構成される。第１のボックス部および第３のボックス部は、少なくとも部分的にばね弾性的に構成される。
【０００６】
この構成の利点は、第１のボックス部および第３のボックス部の構成によってばね弾性的に突っ張り力を提供し、レセプタクルに導入された追加のコンタクト素子を、提供される締付け力によってレセプタクル内で確実に支え、追加のコンタクト素子とコンタクトボックスとの間に確実な電気コンタクトを提供することができることである。
【０００７】
別の実施形態では、第１のボックス部および／または第３のボックス部は、引張ばねとして構成される。
【０００８】
別の実施形態では、第１のボックス部は、格子構造および／または折り目を備える。
【０００９】
別の実施形態では、格子構造は、少なくとも１つの凹部を備え、この凹部は、凹状輪郭を備え、凹状輪郭は、少なくとも部分的にダイヤモンド形および／または矩形および／または方形および／または多角形および／または丸形および／または長円形および／または円形および／または溝形である。
【００１０】
別の実施形態では、格子構造は、少なくとも１つの追加の凹部および少なくとも１つの横材を備える。横材は、凹部と追加の凹部との間に配置される。
【００１１】
別の実施形態では、凹部および追加の凹部は、同一の構成を有する。その結果、格子構造は、特に簡単な構成を有することができる。
【００１２】
別の実施形態では、横材は、平面の構成を有する。別法として、折り目は、横材が湾曲を備えるように構成され、湾曲は、レセプタクルに対して凹面の構成を有する。その結果、コンタクト素子は、特に小さい量の設置空間を占める。
【００１３】
別の実施形態では、折り目は、横材が、第１の横材部および第１の横材部に隣接して配置された第２の横材部を備える状態に構成される。第１の横材部は、第２の横材部に対して傾斜して配置される。この構成の利点は、追加のコンタクト素子がレセプタクルに挿入されたとき、第１の横材部が第２の横材部に対して低減された角度で配置され、このプロセスで横材が広がり、横材を弾性的に付勢することができることである。
【００１４】
別の実施形態では、第１の横材部および第２の横材部は、板状に構成され、第１の横材部は、固定端によって第２の横材部に接続され、第１の横材部は、レセプタクルの方向に関して固定端から自由端の方へ内方に延びる。その結果、横材に対する設置空間を特に小さく保つことができる。
【００１５】
別の実施形態では、第２のボックス部は、第１の構造部および少なくとも第２の構造部を有するエンボス構造を少なくとも部分的に備える。第１の構造部は、長手方向に関して第２の構造部からずれて横断方向に配置される。追加のコンタクト素子に電気的に接触する第１のコンタクトが、第１の構造部においてレセプタクルの方を向いている側に配置される。
【００１６】
別の実施形態では、横材は、第１のコンタクトのレベルで長手方向に配置される。別法として、横材は、長手方向に関して第１のコンタクトからずれて配置される。
【００１７】
別の実施形態では、第１の構造部と第２のボックス部の領域との間に間隙が配置され、間隙は、長手方向に延びる。
【００１８】
別の実施形態では、エンボス構造は、第３の構造部を備え、第３の構造部は、第２の構造部に接続され、第３の構造部は、レセプタクルの方を向いている側に第２のコンタクトを備え、第２のコンタクトおよび第１のコンタクトは、１つの接触平面内に配置される。
【００１９】
別の実施形態では、凹部および追加の凹部は、一平面内に配置され、この平面は、接触平面に対して平行に配置される。
【００２０】
別の実施形態では、第１のボックス部および第３のボックス部は、互いに対して平行に配置される。追加または別法として、第２のボックス部および第４のボックス部は、互いに対して平行に配置される。
【００２１】
別の実施形態では、第１のボックス部および第３のボックス部は、第１のボックス部と第３のボックス部との間に配置された対称平面に対して対称に構成される。その結果、コンタクトボックス内で特に均一の力分布が確保される。
【００２２】
別の実施形態では、第４のボックス部は、第４の構造部および少なくとも第５の構造部を有する追加のエンボス構造を少なくとも部分的に備え、第５の構造部は、長手方向に関して第４の構造部からずれて横断方向に配置され、第４の構造部においてレセプタクルの方を向いている側に第３のコンタクトが配置される。
【００２３】
別の実施形態では、格子構造は、材料としてエキスパンデッドメタルを含む。
【００２４】
改善されたコンタクトシステムは、コンタクトシステムが、上記のように構成されたコンタクト素子と、追加のコンタクト素子とを備え、追加のコンタクト素子が、接触面を有する係合部を含み、係合部が、レセプタクル内に係合し、第１のボックス部および第３のボックス部が、第２のボックス部および第４のボックス部を接触面に押し付ける締付け力を提供する状態において提供され得ることが認識されている。
【００２５】
本発明について、図を参照して以下により詳細に説明する。
【図面の簡単な説明】
【００２６】
【図１】コンタクトシステムの長手方向断面図である。
【図２】第１の実施形態によるコンタクト素子の長手方向断面図である。
【図３】図２に示す断面Ａ−Ａに沿った図２に示すコンタクト素子の断面図である。
【図４】図２に示すコンタクト素子の長手方向断面の切り出し図である。
【図５】第２の実施形態によるコンタクト素子の平面図である。
【図６】図５に示す断面Ｂ−Ｂに沿った図５に示すコンタクト素子の断面図である。
【図７】第３の実施形態によるコンタクト素子の側面図である。
【図８】図７に示す断面Ｃ−Ｃに沿った図７に示すコンタクト素子の断面図である。
【図９】第４の実施形態によるコンタクト素子の側面図である。
【図１０】図９に示す断面Ｄ−Ｄに沿った図９に示すコンタクト素子の断面図である。
【図１１】第５の実施形態によるコンタクト素子の側面図である。
【図１２】図１１に示す断面Ｅ−Ｅに沿った図１１に示すコンタクト素子の断面図である。
【発明を実施するための形態】
【００２７】
以下の図では、座標系５を参照する。座標系５は、ｘ軸、ｙ軸、およびｚ軸を含む。この場合、座標系５は例として、右手系として構成される。この場合、ｘ軸を長手方向と呼び、ｙ軸を長手方向に対する横断方向と呼び、ｚ軸を垂直方向と呼ぶこともできる。この場合、ｙ軸およびｚ軸はそれぞれ、長手方向に対して横断する方向に位置合わせされる。
【００２８】
図１は、コンタクトシステム１０の長手方向断面図を示す。
【００２９】
コンタクトシステム１０は、第１の実施形態によるコンタクト素子１５と、追加のコンタクト素子２０とを含む。コンタクト素子１５は、電気導体２５に電気的に接続することができる。
【００３０】
コンタクト素子１５は、コンタクトボックス３０、コネクティング部３５、および好ましくはコネクション部４０を含む。コネクション部４０は、長手方向にコンタクトボックス３０とコネクティング部３５との間に設けられる。コネクティング部３５において、電気導体２５は、好ましくは圧着接続によって、コネクティング部３５に導電的に接続される。電気導体２５はまた、異なる形態でコネクティング部３５に接続することもできる。コネクティング部３５に対する追加または別法として、追加のコンタクトボックスを設けることもできる。コネクション部４０を省くこともできることに留意されたい。この場合、コネクティング部３５は、コンタクトボックス３０に直接接続することができる。コネクション部４０はまた、図１に示す形態とは異なる形態で構成することもできる。
【００３１】
コネクション部４０は、コネクティング部３５をコンタクトボックス３０に接続する。この場合、コネクション部４０は例として、本実施形態では、横断方向および／または垂直方向（ｙ方向および／またはｚ方向）に柔軟に構成され、コネクティング部３５とコンタクトボックス３０との間の機械的変形および／または振動の伝達を低減させる。
【００３２】
コンタクトボックス３０は、レセプタクル４５を円周方向に制限する。レセプタクル４５は、コネクション部４０から離れる方を向いている側にレセプタクル開口１５０を備える。コンタクトシステム１０の組み立てた状態で、追加のコンタクト素子２０の係合部５０が、レセプタクル開口１５０によってレセプタクル４５内に係合する。係合部５０は、接触面５５を円周方向に備える。コンタクトボックス３０は、内側で接触面５５に当接し、追加のコンタクト素子２０をコンタクト素子１５に電気的に接続する。
【００３３】
図２は、図１に示すコンタクト素子１５の長手方向断面図を示す。
【００３４】
コンタクトボックス３０は、コンタクト素子１５の長手方向（ｘ方向）に延びる。コンタクトボックス３０は、壁５９を備える。壁５９は、第１のボックス部６０および第２のボックス部６５を備える。第１のボックス部６０は、例として、ｘｚ平面内に延びる。第１のボックス部６０は、第２のボックス部６５に接続される。第２のボックス部６５は、第１のボックス部６０に対して直角に位置合わせされ、例としてｘｙ平面内に延びる。
【００３５】
第１のボックス部６０は、ばね弾性的に、好ましくは引張ばねとして構成される。第１のボックス部６０は、格子構造６９を備える。本実施形態では、格子構造６９は、第１の凹部７０および好ましくは少なくとも第２の凹部７５を備える。例として、図２に示すように、複数の凹部７０、７５を設けることができる。この場合、凹部７０、７５の数は制限されない。特に長手方向におけるコンタクトボックス３０の特に小型の構成の場合、格子構造６９はまた、凹部７０、７５のうちの１つのみを含むこともできる。
【００３６】
第２の凹部７５は、格子構造６９においてレセプタクル開口１５０の方を向いている側に配置される。追加の第２の凹部７５は、格子構造６９においてコネクション部４０の方を向いている側に配置される。第１の凹部７０は、長手方向に第２の凹部７５と追加の第２の凹部７５との間に配置される。
【００３７】
第２のボックス部６５は、第１のエンボス構造１００を備え、実質上剛性的にかつ屈曲に耐えるように構成される。第１のエンボス構造１００に対する追加または別法として、第２のボックス部６５は、押さえ材（ブレーシング）を備えることができる。
【００３８】
図３は、図２に示す断面Ａ−Ａに沿った図２に示すコンタクト素子１５の断面図を示す。
【００３９】
コンタクトボックス３０の壁５９は、第３のボックス部１３５および第４のボックス部１４０を備える。第３のボックス部１３５は、横断方向に関して第１のボックス部６０に対向して配置される。第３のボックス部１３５は、ｘｚ平面内に延びる。第２のボックス部６５は、第１のボックス部６０と第３のボックス部１３５との間に配置され、第３のボックス部１３５を第１のボックス部６０に上側で接続する。
【００４０】
本実施形態では、第１のボックス部６０および第３のボックス部１３５は、互いに対して平行に配置される。第１のボックス部６０および第３のボックス部１３５はまた、互いに対して傾斜して構成することもできる。特に、第１のボックス部６０および第３のボックス部１３５は、レセプタクル４５がレセプタクル開口１５０からコネクティング部３５の方へ先細りするように、互いに対して配置することができる。
【００４１】
本実施形態では、第３のボックス部１３５は、第１のボックス部６０と同一に構成される。第３のボックス部１３５は、ばね弾性的に、好ましくは引張ばねとして構成される。第３のボックス部１３５は、追加の格子構造１４５を備える。追加の格子構造１４５は、第１のボックス部６０の格子構造６９と同一に構成される。第１のボックス部６０と第３のボックス部１３５との間に配置され、したがってｘｚ平面内に延びる対称平面１５５に対して、追加の格子構造１４５および格子構造６９が鏡面対称に構成されると、特に有利である。格子構造６９および追加の格子構造１４５の対称構成の結果、それぞれの格子構造６９、１４５の均一の荷重が確保される。
【００４２】
第４のボックス部１４０は、ｚ方向に関して第２のボックス部６５に対向して配置される。この場合、第２のボックス部６５は、レセプタクル４５の上方に配置され、第４のボックス部１４０は、レセプタクル４５の下方に配置される。第４のボックス部１４０は、横断方向に関して第１のボックス部６０と第３のボックス部１３５との間に配置され、第１のボックス部６０を第３のボックス部１３５に接続する。第４のボックス部１４０が第２のエンボス構造１６０を備えると、特に有利である。第２のエンボス構造１６０に対する追加または別法として、第４のボックス部１４０は、押さえ材（ブレーシング）を備えることができる。第４のボックス部１４０は、実質上剛性的にかつ屈曲に耐えるように構成される。
【００４３】
図４は、図２に示すコンタクト素子１５の長手方向断面の切り出し図を示す。
【００４４】
第２の凹部７５は、レセプタクル開口１５０の方へ開いている。さらに、追加の第２の凹部７５は、コネクティング部３５の方へ開いている。
【００４５】
第１の凹部７０は、第１の凹状輪郭８０を備え、第２の凹部７５は、第２の凹状輪郭８５を備える。本実施形態では、第１の凹状輪郭８０および第２の凹状輪郭８５は、例として、部分的に同一に構成される。第１の凹状輪郭８０はまた、第２の凹状輪郭８５とは異なる形態で構成することもできる。本実施形態では、凹状輪郭８０、８５は、例として、ダイヤモンド形に構成される。追加または別法として、凹状輪郭８０、８５は、少なくとも部分的に矩形および／または方形および／または多角形および／または丸形および／または長円形および／または円形および／または溝形になるように構成することができる。
【００４６】
図４に示す構成では、凹部７０、７５は、完全に第１のボックス部６０の材料を貫通して延びるように構成される。凹部７０、７５はまた、第１のボックス部６０内で先細りする材料として構成することもできる。
【００４７】
第１の凹部７０および第２の凹部７５は、共通の平面９５内に配置される。この場合、平面９５は、ｘｙ平面として構成される。
【００４８】
さらに、格子構造６９は、第１の横材９０および好ましくは少なくとも第２の横材９１を含む。第１の横材９０は、第１の凹部７０と第２の凹部７５との間に配置される。第２の横材９１は、第１の凹部７０と追加の第２の凹部７５との間で第２の凹部７５とは反対側に長手方向にずれて配置される。本実施形態では、横材９０、９１は、例として、平面の構成を有する。横材９０、９１はまた、異なる形態で構成することもできる。
【００４９】
第１の横材９０および第２の横材９１は、凹部７０、７５の幾何構成の結果、砂時計形の構成を有し、横材９０、９１は、平面９５のレベルで長手方向に最も細くなるように構成され、凹部７０、７５は、平面９５のレベルで長手方向に最も大きくなる。
【００５０】
第１のエンボス構造１００は、第１の構造部１０５、第２の構造部１１０、および追加として任意で第３の構造部１１５を含む。第１の構造部１０５および第３の構造部１１５は、共通の第１の接触平面１２０に配置される。第２の構造部１１０は、第１の構造部１０５を第３の構造部１１５に接続し、長手方向に関して第１の構造部１０５と第３の構造部１１５との間に配置される。第２の構造部１１０は、第１の構造部１０５および第３の構造部１１５に対してレセプタクル４５から外方にずれて配置される。
【００５１】
係合部５０がレセプタクル４５に挿入された場合、第１の構造部１０５は、接触面５５と接触する第１のコンタクト１２５を備える。第３の構造部１１５は、接触面５５と接触する第２のコンタクト１３０を備える。第２のコンタクト１３０は、長手方向に関して第１のコンタクト１２５からずれて配置される。この場合、第１のコンタクト１２５および第２のコンタクト１３０は、例として、共通の第１の接触平面１２０に配置される。第１の接触平面１２０は、例として、平面９５に対して平行に配置される。
【００５２】
この場合、第１の横材９０が第１のコンタクト１２５のレベルに配置され、第２の横材９１が長手方向に関して第２のコンタクト１３０のレベルに配置されると、特に有利である。
【００５３】
第２のエンボス構造１６０は、第４の構造部１６５、第５の構造部１７０、および第６の構造部１７５を備える。長手方向において、第５の構造部１７０は、第４の構造部１６５と第６の構造部１７５との間に配置され、第４の構造部１６５を第６の構造部１７５に接続する。この場合、第４の構造部１６５は、コネクティング部３５から離れる方を向いている側に配置され、第６の構造部１７５は、第５の構造部１７０のうちコネクティング部３５の方を向いている側に配置される。第５の構造部１７０は、ｚ方向にレセプタクル４５に対して凹んでおり、第４の構造部１６５および第６の構造部１７５より低く配置される。
【００５４】
係合部５０が挿入されたとき、接触面５５において、第４の構造部１６５は、第４の構造部１６５のうちレセプタクル４５の方を向いている側に第３のコンタクト１８０を備える。係合部５０が挿入されたとき、第５の構造部１７０は、接触面５５から間隔をあけて配置される。係合部５０がレセプタクル４５に挿入されたとき、第６の構造部１７５は、接触面５５に位置し、第４のコンタクト１８５を備える。第１の横材９０が第３のコンタクト１８０のレベルに配置され、第２の横材９１が第４のコンタクト１８５のレベルに配置されと、特に有利である。さらに、第３のコンタクト１８０がｚ方向に関して第１のコンタクト１２５とは反対側に配置され、第４のコンタクト１８５がｚ方向に関して第２のコンタクト１３０とは反対側に配置されると、有利である。その結果、レセプタクル４５内の係合部５０の傾斜およびレセプタクル４５内の係合部５０の均一の接触が確保される。
【００５５】
さらに、第３のコンタクト１８０および第４のコンタクト１８５が、共通の第２の接触平面１９０内に配置され、第２の接触平面１９０が、好ましくはｘｙ平面として構成され、平面９５および第１の接触平面１２０に対して平行に配置されると、有利である。
【００５６】
係合部５０がレセプタクル４５に挿入された場合、係合部５０は、第１のエンボス構造１００および第２のエンボス構造１６０をｚ方向に押し開き、第１のボックス部６０および第３のボックス部１３５を締め付ける。この突っ張りの結果、第１のボックス部６０および第３のボックス部１３５は、突っ張り力ＦＳを提供する。突っ張り力ＦＳは、剛性的に構成された第２のボックス部６５および第４のボックス部１４０によって、第１の構造部１０５、第３の構造部１１５、第４の構造部１６５、および第６の構造部１７５へ伝達され、その結果、第１の構造部１０５、第３の構造部１１５、第４の構造部１６５、および第６の構造部１７５は、係合部５０の接触面５５に押し付けられ、したがってコンタクトボックス３０と係合部５０との間で、確実な機械および電気コンタクト１２５、１３０、１８０、１８５が確保される。その結果、コンタクト素子１５を追加のコンタクト素子２０に接触させるコンタクト素子１５内の追加のばね要素を省くことができる。
【００５７】
特に、コンタクト素子１５は、それによって特に簡単に構成することができ、特に安価に製造することができる。この場合、格子構造６９、１４５がエキスパンデッドメタルを含み、その結果、コンタクト素子１５が特に軽量になると、特に有利である。さらに、格子構造６９、１４５は、それによって特に高い強度を有する。
【００５８】
突っ張り力ＦＳは、凹状輪郭８０、８５の幾何構成によって簡単に決定することができる。したがって、たとえば凹状輪郭８０、８５のダイヤモンド形の構成は、格子構造６９、１４５の特に堅い構成に特に適しており、その結果、突っ張り力ＦＳは特に大きくなる。
【００５９】
図５は、第２の実施形態によるコンタクト素子１５の平面図を示す。コンタクト素子１５は、図１〜４に示すコンタクト素子１５と実質上同一に構成される。
【００６０】
第２のボックス部６５は、第１の領域１９５および第２の領域２００を備える。第１のエンボス構造１００は、ｙ方向に関して第１の領域１９５と第２の領域２００との間に配置される。第１の領域１９５および第２の領域２００は、板状に構成され、実質上ｘｙ平面内に延びる。第１の領域１９５と第１のエンボス構造１００との間には、第１の間隙２０５が配置され、第１のエンボス構造１００と第２の領域２００との間には、第２の間隙２１０が配置される。第１の間隙２０５は、長手方向に関して、第２の間隙２１０に対して平行に延びる。
【００６１】
さらに、第１のボックス部６０は、第３の領域２１５および第４の領域２２０を備える。第３の領域２１５は、レセプタクル開口１５０に隣接しており、長手方向に第１のエンボス構造１００の第１の端部２２５とレセプタクル開口１５０との間に配置される。第４の領域２２０は、長手方向に第１のエンボス構造１００の第２の端部２３０とコネクション部４０との間に配置される。
【００６２】
第１のエンボス構造１００は、第１のエンボス構造１００の第１の端部２２５によって第３の領域２１５に接続され、第１のエンボス構造１００は、第１のエンボス構造１００の第２の端部２３０によって第４の領域２２０に接続される。その結果、係合部５０がレセプタクル４５に挿入されたとき、ｚ方向に第１のエンボス構造１００の容易な撓みを確保することができ、コンタクトボックス３０は、概して図１〜４に示す構成より柔軟になるように構成することができる。
【００６３】
図６は、図５に示す断面Ｂ−Ｂに沿った図５に示すコンタクト素子１５の断面図を示す。
【００６４】
間隙２０５、２１０の結果、第１のエンボス構造１００は、第１の領域１９５および第２の領域２００の下に長手方向に広い領域にわたって配置することができ、その結果、レセプタクル４５は垂直方向に特に狭くなる。さらに、格子構造６９、１４５は、例として、本実施形態では、図１〜４に示すものより細かいメッシュによって構成される。その結果、格子構造６９、１４５はまた、図１〜４より柔軟になるように構成され、その結果、レセプタクル４５への特に小さい挿入力で、追加のコンタクト素子２０をコンタクト素子１５に挿入することができる。
【００６５】
図７は、第３の実施形態によるコンタクト素子１５の側面図を示す。コンタクト素子１５は、図１〜６に示すコンタクト素子１５と実質上同一になるように構成される。そこから逸脱して、格子構造６９、１４５は、図１〜４に示すものより細かいメッシュによって構成される。追加として、格子構造６９、１４５は、少なくとも第３の凹部２３５および少なくとも第４の凹部２４０を備え、第４の凹部２４０は、ｚ方向に第３の凹部２３５の下に配置される。いずれの場合も、横材９０、９１は、ｚ方向に関して、第３の凹部２３５と第４の凹部２４０との間に延びる。第３の凹部２３５および第４の凹部２４０は、長手方向に関して、第１の凹部７０および第２の凹部７５からずれて配置される。
【００６６】
第３の凹部２３５および第４の凹部２４０は、第１の凹部７０と同一に構成される。さらに、追加の格子構造１４５の凹部７０、７５、２３５、２４０は、長手方向に格子構造６９のそれぞれの凹部７０、７５、２３５、２４０に重複するように配置される。この場合、長手方向に重複するとは、２つの構成要素、たとえばそれぞれの格子構造６９、１４５の凹部７０、７５、２３５、２４０が、共通のｙｚ平面内に突出している場合、前記構成要素が互いに重なることを意味することが意図される。
【００６７】
図８は、図７に示す断面Ｃ−Ｃに沿った図７に示すコンタクト素子１５の断面図を示す。
【００６８】
格子構造６９に対する追加として、第１のボックス部６０は、折り目２４１を備える。追加の格子構造１４５に対する追加として、第３のボックス部１３５は、追加の折り目２４２をさらに備える。第１のボックス部６０および／または追加のボックス部１３５の代替構成では、格子構造６９、１４５は省かれ、並びに／または第１のボックス部６０および／もしくは第３のボックス部１３５は、折り目２４１、２４２を排他的に備える。
【００６９】
折り目２４１、２４２は、例として、横材９０、９１が湾曲を備え、湾曲がレセプタクル４５に対して凹面の構成を有するように構成される。この構成の利点は、係合部５０がレセプタクル４５に挿入されたとき、横材９０、９１の湾曲が低減され、折り目２４１、２４２がｚ方向に長くなることである。その結果、レセプタクル４５は、ｚ方向に特に大きく広がることができ、コンタクトボックス３０は、垂直方向に特に柔軟かつ弾性的に構成することができる。
【００７０】
図８に示す構成に対する別法として、横材９０はまた、レセプタクル４５に対して凸面の構成を有することもできる。しかし、凹面の構成の利点は、コンタクトハウジング内にコンタクト素子１５が配置された場合、コンタクト素子１５が特に小さい量の設置空間を占めることである。
【００７１】
図９は、第４の実施形態によるコンタクト素子１５の側面図を示す。コンタクト素子１５は、図７および図８に示すコンタクト素子１５と実質上同一に構成される。そこから逸脱して、格子構造６９、１４５は、特に細かいメッシュによって構成され、凹部７０、７５、２３５、２４０は、間隙の形態で構成される。その結果、特にｚ方向に、柔軟なコンタクトボックス３０を提供することができる。
【００７２】
図１０は、図９に示す断面Ｄ−Ｄに沿った図９に示すコンタクト素子１５の断面図を示す。
【００７３】
折り目２４１、２４２は、横材９０、９１が第１の横材部２４５および少なくとも第２の横材部２５０を備えるように構成される。第１の横材部２４５は、固定端２５５によって第２の横材部２５０に接続される。横材部２４５、２５０は、レセプタクル４５の方向に、固定端２５５から自由端２６０の方へ延びる。この場合、第１の横材部２４５は、好ましくは鈍角で、第２の横材部２５０に対して傾斜して配置される。
【００７４】
本実施形態では、第１の横材部２４５および第２の横材部２５０は、例として、板状に構成される。第１の横材部２４５および第２の横材部２５０はまたそれぞれ、湾曲するように構成することもでき、好ましくは凹面または凸面の湾曲によって構成することができる。
【００７５】
係合部５０がレセプタクル４５に挿入されたとき、横材９０、９１は広げられ、第２の横材部２５０に対する第１の横材部２４５の傾斜が低減される。この場合、係合部５０がレセプタクル４５に挿入されたとき、横材９０、９１は支えられて、次いで締付け力ＦＳを提供する。
【００７６】
図９および図１０に示す格子構造６９、１４５は、有利には、打抜きおよび曲げ方法によって構成することができ、それぞれの横材部２４５、２５０は、型によってリービングとして特に簡単に構成することが可能である。
【００７７】
図１１は、第５の実施形態によるコンタクト素子１５の側面図を示す。コンタクト素子１５は、図１〜１０に示すコンタクト素子１５と実質上同一に構成される。そこから逸脱して、格子構造６９、１４５は、特に細く構成された横材９０、９１と、特に多数の凹部７０、７５、２３５、２４０とを備える。この場合、横材９０、９１の断面（長手方向断面）は、凹部７０、７５、２３５、２４０の表面より小さい。その結果、格子構造６９、１４５は、ｚ方向に特に弾性的になる。
【００７８】
この場合、格子構造６９、１４５は、材料としてエキスパンデッドメタルを含むと、特に有利である。
【００７９】
図１２は、図１１に示す断面Ｅ−Ｅに沿った図１１に示すコンタクト素子１５の断面図を示す。横材９０、９１は、第２のボックス部６５および第４のボックス部１４０に対して斜めに傾斜して配置される。この場合、横材９０、９１は、第２のボックス部６５の方へ、例としてコンタクトボックス外面２４６からレセプタクル４５の方へ位置合わせされる。別法として、横材９０、９１はまた、第４のボックス部１４０の方へ、コンタクトボックス外面からレセプタクル４５の方へ位置合わせすることができる。
【００８０】
当然ながら、図１〜１２に示すコンタクト素子１５の異なる構成の機構を互いに組み合わせることもでき、または個々の機構を省くこともできることに留意されたい。
【００８１】
図１〜１２に示すコンタクト素子１５の構成の場合、第１のボックス部６０および／または第３のボックス部１３５の特性は、格子構造６９、１４５の対応する構造的構成によって簡単に変化させることができることが、特に有利である。
【００８２】
この場合、剛性特性のために、凹部７０、７５、２３５、２４０は、第１のボックス部６０および／または第３のボックス部１３５の材料厚さの領域内に位置する実質上最大の外周を備えると、特に有利である。
【００８３】
さらに、当然ながら、コンタクト素子１５が、追加のコンタクトボックスを備え、追加のコンタクトボックスが、図１〜１２に示すコンタクトボックス３０上に円周方向に配置され、円周方向にコンタクトボックス３０の周りで係合することも考えられる。この場合、追加のコンタクトボックスは、図１〜１２に示す格子構造６９、１４５を有するコンタクトボックス３０と同様に構成されると、特に有利である。
【００８４】
さらに、格子構造６９、１４５を設けた結果、コンタクト素子１５は、コンタクト素子１５の製造中、すでに現在使用されている機械によって生成することができ、格子構造６９、１４５の製造後、重複する配置でコンタクトボックス３０に曲げて溶接することができ、好ましくはレーザ溶接または打ち曲げ加工（クリンチ加工）を施すことができる。
【００８５】
さらに、図１〜１２に示すコンタクト素子１５は、コンタクトボックス３０内の内部ばねを省くことが可能であるため、特に軽量であり、製造中の材料消費が小さい。
【００８６】
さらに、第１のボックス部６０および／または第３のボックス部１３５は、コンタクトボックス３０内の機械応力分布に最適に適合させることができ、その結果、コンタクトボックス３０内の応力分布が均質化され、コンタクトボックス３０内で必要とされる締付け力ＦＳに対する最大応力が低減される。結果として、コンタクト素子１５はまた、より少ないスプリングテンパー特殊合金から生成することができる。
【図１】
2019517717.tif 000003
【図２】
2019517717.tif 000004
【図３】
2019517717.tif 000005
【図４】
2019517717.tif 000006
【図５】
2019517717.tif 000007
【図６】
2019517717.tif 000008
【図７】
2019517717.tif 000009
【図８】
2019517717.tif 000010
【図９】
2019517717.tif 000011
【図１０】
2019517717.tif 000012
【図１１】
2019517717.tif 000013
【図１２】
2019517717.tif 000014
【国際調査報告】
2019517717.tif 000015
2019517717.tif 000016